(57)【要約】【課題】大小の選別精度がよく、かつ、イカの体表粘膜の引っ掻き、接触剥離、魚体損傷等がイカにほとんど生じない釣獲未成体イカの再放流システム及び方法並びにそれに用いられるイカ釣機を提供する。【解決手段】イカ釣機２−１〜２−１０で釣られたイカは、釣獲イカ収集用樋３−１〜３−１０を通じて釣獲イカ収集口４−１，４−２で収集される。収集されたイカは、コンベンヤ５−１，５−２によって選別装置６に搬送される。選別装置６は、搬送されたイカの大小を選別（仕分け）し、所定の大きさ以上のイカが成体イカ収納箱７に収納され、所定の大きさより小さいものについては未成体イカであると判断し、未成体イカ放出路８を通じて海に再放流する。【選択図】図１
2005198567.tif 000002
【特許請求の範囲】
【請求項１】
イカ釣機と、
そのイカ釣機で釣られたイカを収集する収集装置と、
その収集装置によって収集されたイカを搬送するコンベンヤと、
そのコンベンヤによって搬送されたイカの大小を選別する選別装置と、
その選別装置によって大小が選別されたイカのうち、所定の大きさより小さいものについては未成体イカであると判断して放出する放出路とを具えることを特徴とする、釣獲未成体イカの再放流システム。
【請求項２】
前記イカ釣機が、
釣糸と、
その釣糸を巻き取るドラムと、
前記釣り糸を前記ドラムに案内するガイドローラと、
そのガイドローラに取り付けられたネットと、
そのネットを上下動するカムとを有することを特徴とする、請求項１記載の釣獲未成体イカの再放流システム。
【請求項３】
前記コンベンヤによって搬送されるイカを一時的に蓄養する一時蓄養槽を更に具えることを特徴とする、請求項１又は２記載の釣獲未成体イカの再放流システム。
【請求項４】
前記選別装置が、
給水口及び噴水孔を有し、前記コンベンヤによって搬送されたイカを大小に応じて選別する複数のロールを具え、
これらロールの各々について、回転方向を同一にし、周速度を１．６ｍ／ｓ付近とし、傾斜角度を６°付近とし、
前記噴水孔の各々について、前記ロールの軸線に対する傾斜角度を３０〜５０°付近とし、径を２ｍｍ付近としたことを特徴とする、請求項１から３のうちのいずれか１項に記載の釣獲未成体イカの再放流システム。
【請求項５】
前記選別装置が、前記コンベンヤによって搬送されたイカの外套膜内包含水を排出する手段を更に具えることを特徴とする、請求項４記載の釣獲未成体イカの再放流システム。
【請求項６】
前記外套膜内包含水の排出を、前記活イカの感電、感熱又は光照射によって行うことを特徴とする、請求項５記載の釣獲未成体イカの再放流システム。
【請求項７】
前記ロールとそれに隣接するロールとの間の高低差を０．７５ｃｍ付近としたことを特徴とする、請求項４から６のうちのいずれか１項に記載の釣獲未成体イカの再放流システム。
【請求項８】
釣糸と、
その釣糸を巻き取るドラムと、
前記釣り糸を前記ドラムに案内するガイドローラと、
そのガイドローラに取り付けられたネットと、
そのネットを上下動するカムとを有することを特徴とするイカ釣機。
【請求項９】
イカ釣機で釣られたイカを収集するステップと、
収集されたイカを搬送するステップと、
搬送されたイカの大小を選別するステップと、
大小が選別されたイカのうち、所定の大きさより小さいものについては未成体イカであると判断して放出する放出ステップとを具えることを特徴とする、釣獲未成体イカの再放流方法。
【請求項１０】
釣糸と、その釣糸を巻き取るドラムと、前記釣り糸を前記ドラムに案内するガイドローラと、そのガイドローラに取り付けられたネットと、そのネットを上下動するカムとを有するイカ釣機でイカを釣ることを特徴とする、請求項９記載の釣獲未成体イカの再放流方法。
【請求項１１】
搬送されるイカを一時的に蓄養するステップを更に具えることを特徴とする、請求項９又は１０記載の釣獲未成体イカの再放流方法。
【請求項１２】
前記イカの大小を選別するステップにおいて、
給水口及び噴水孔を有する複数のローラによって、前記コンベンヤによって搬送されたイカを大小に応じて選別し、
これらロールの各々について、回転方向を同一にし、周速度を１．６ｍ／ｓ付近とし、傾斜角度を６°付近とし、
前記噴水孔の各々について、前記ロールの軸線に対する傾斜角度を３０〜５０°付近とし、径を２ｍｍ付近とすることを特徴とする、請求項９から１１のうちのいずれか１項に記載の釣獲未成体イカの再放流方法。
【請求項１３】
前記イカの大小を選別するステップにおいて、選別前にイカの外套膜内包含水を排出することを特徴とする、請求項１２記載の釣獲未成体イカの再放流方法。
【請求項１４】
前記外套膜内包含水の排出を、前記活イカの感電、感熱又は光照射によって行うことを特徴とする、請求項１３記載の釣獲未成体イカの再放流方法。
【請求項１５】
前記ロールとそれに隣接するロールとの間の高低差を０．７５ｃｍ付近とすることを特徴とする、請求項９から１４のうちのいずれか１項に記載の釣獲未成体イカの再放流方法。
【発明の詳細な説明】
【技術分野】
【０００１】
本発明は、成体イカのみを市場出荷し、海洋投棄されていた未成体イカを再放流して成体後に再釣獲する、すなわち、単年魚で成長が速いイカの生態学的特性を利用して、回遊海域の面積当たりの年間漁獲量が最大になる管理型漁法を確立し、イカ資源を有用利用する釣獲未成体イカの再放流システム及び方法並びにそれに用いられるイカ釣機に関する。
【背景技術】
【０００２】
単年魚のイカは、成育するに従って北上し、水温が低下する冬季には南下し、西南海域で冬、夏、秋の時期に産卵して一生を終える。したがって、この魚群を追って釣獲すれば周年漁獲が可能となる。総漁獲量規制（ＴＡＣ）が実施され、漁業資源の再生産の観点から選択漁法の強制的規制が提案されている。世界中の海に生息するイカは、適切な資源管理を行えば、漁獲物の重要な位置を今後も占めることができる。
【０００３】
日本の近隣諸国（例えば、中国、韓国）のイカ漁業への進出が急務であるため、イカ資源を今後も持続的に利用するイカ資源管理技術を早急に開発する必要があるが、各種の人工養殖における餌の問題（種類、質、量）は永遠に未解決である。
【０００４】
したがって、ビームトロールを用いてイカを効率的に収集し及び選別（大小仕分け）することによって、未成体イカを再放流することが従来行われている（例えば、非特許文献１参照）。
【非特許文献１】漁具の選択特性の評価と資源管理、東海正・北原武、恒星社厚生閣、９０〜９１頁
【発明の開示】
【発明が解決しようとする課題】
【０００５】
しかしながら、ビームトロールによって選別を行った場合、網目の大きさが変動するために大小の選別（仕分け）精度がよくない。また、網によってイカの体表粘膜の引っ掻き、接触剥離、魚体損傷等が生じるおそれがある。
【０００６】
本発明の目的は、大小の選別精度がよく、かつ、イカの体表粘膜の引っ掻き、接触剥離、魚体損傷等がほとんど生じない釣獲未成体イカの再放流システム及び方法並びにそれに用いられるイカ釣機を提供することである。
【課題を解決するための手段】
【０００７】
本発明による釣獲未成体イカの再放流システムは、
イカ釣機と、
そのイカ釣機で釣られたイカを収集する収集装置と、
その収集装置によって収集されたイカを搬送するコンベンヤと、
そのコンベンヤによって搬送されたイカの大小を選別する選別装置と、
その選別装置によって大小が選別されたイカのうち、所定の大きさより小さいものについては未成体イカであると判断して放出する放出路とを具えることを特徴とする。
【０００８】
本発明によるイカ釣機は、
釣糸と、
その釣糸を巻き取るドラムと、
前記釣り糸を前記ドラムに案内するガイドローラと、
そのガイドローラに取り付けられたネットと、
そのネットを上下動するカムとを有することを特徴とする。
【０００９】
本発明による釣獲未成体イカの再放流方法は、
イカ釣機で釣られたイカを収集するステップと、
収集されたイカを搬送するステップと、
搬送されたイカの大小を選別するステップと、
大小が選別されたイカのうち、所定の大きさより小さいものについては未成体イカであると判断して放出する放出ステップとを具えることを特徴とする。
【発明の効果】
【００１０】
本発明による釣獲未成体イカの再放流システム及び方法によれば、イカ釣機で釣られたイカを収集し、収集されたイカを搬送し、搬送されたイカの大小を選別し、大小が選別されたイカのうち、所定の大きさより小さいものについては未成体イカであると判断して放出する。
【００１１】
これによって、網目の変動による不都合がないため、大小の選別精度がよくなり、かつ、網目によってイカが傷つけられることがないため、イカの体表粘膜の引っ掻き、接触剥離、魚体損傷等がほとんどが生じない釣獲未成体イカの再放流することができる。
【００１２】
好適には、釣糸と、その釣糸を巻き取るドラムと、前記釣り糸を前記ドラムに案内するガイドローラと、そのガイドローラに取り付けられたネットと、そのネットを上下動するカムとを有するイカ釣機でイカを釣る。このようにネットが上下動するイカ釣機を用いることによって、釣られたイカの収集が効率よく行われるようになり、その結果、未成体イカの再放流が良好に行われるようになる。
【００１３】
また、搬送されるイカを一時的に蓄養することによって、所定時間に釣り上げられたイカの個数が所定時間に搬送可能なイカの個数を超えた場合でさえも搬送を円滑に行うことができ、その結果、未成体イカの再放流が良好に行われるようになる。
【００１４】
好適には、給水口及び噴水孔を有する複数のロールを用いて、搬送されたイカを大小に応じて選別し、これらロールの各々について、回転方向を同一にし、周速度を１．６ｍ／ｓ付近とし、傾斜角度を６°付近とし、噴水孔の各々について、径を２ｍｍ付近とし、傾斜角を３０〜５０°付近とした選別装置及び方法を用いる。これによって、従来ほとんど不可能であると考えられてきたロール面の水膜の厚さの均一化を良好に制御できるようになり、その結果、体表粘膜の引っ掻き、接触剥離、魚体損傷等が生じやすいイカの大小を、イカの体表粘膜の引っ掻き、接触剥離、魚体損傷等がほとんどなく選別することができる。
【００１５】
また、選別前にイカの外套膜内包含水を排出することによって、水を包含した未成体イカが誤って成体イカであると判断されるおそれがほとんどなくなり、その結果、イカが成体であるか否かを正確に判別することができるようになる。このようにして、未成体イカを正確に選別できるようになり、未成体イカを再放流し、生育後に再釣獲することによって、水産資源の再利用に有利になる。
【００１６】
前記外套膜内包含水の排出を、例えば、前記活イカの感電、感熱又は光照射によって行う。また、ロールとそれに隣接するロールとの間の高低差を０．７５ｃｍ付近とすることによって、選別の精度が更に向上する。
【００１７】
本明細書中、１．６ｍ／ｓ付近、６°付近、３０〜５０°付近、２ｍｍ付近及び０．７５ｃｍ付近とは、１．６ｍ／ｓ及びその許容誤差範囲、６°及びその許容誤差範囲、３０〜５０°及びその許容誤差、２ｍｍ及びその許容誤差並びに０．７５ｃｍ及びその許容誤差を意味するものとする。
【発明を実施するための最良の形態】
【００１８】
本発明による釣獲未成体イカの再放流システム及び方法並びにそれに用いられるイカ釣機の実施の形態を、図面を参照して詳細に説明する。
図１は、本発明による釣獲未成体イカの再放流システムの実施の形態を示す図である。イカ釣漁船１に配置される釣獲未成体イカの再放流システムは、イカ釣漁船１の周辺に設けられたイカ釣機２−１〜２−１０、釣獲イカ収集用樋３−１〜３−１０及び釣獲イカ収集口４−１，４−２と、コンベンヤ５−１，５−２と、選別装置６と、成体イカ収納箱７と、未成体イカ放出路８とを具える。
【００１９】
本実施の形態の動作を説明する。イカ釣機２−１〜２−１０で釣られたイカは、釣獲イカ収集用樋３−１〜３−１０を通じて釣獲イカ収集口４−１，４−２で収集される。収集されたイカは、コンベンヤ５−１，５−２によって選別装置６に搬送される。選別装置６は、搬送されたイカの大小を選別（仕分け）し、所定の大きさ以上のイカが成体イカ収納箱７に収納され、所定の大きさより小さいものについては未成体イカであると判断し、未成体イカ放出路８を通じて海に再放流する。
【００２０】
本実施の形態によれば、網目の変動による不都合がないため、大小の選別精度がよくなり、かつ、網目によってイカが傷つけられることがないため、イカの体表粘膜の引っ掻き、接触剥離、魚体損傷等がイカにほとんど生じない釣獲未成体イカの再放流することができる。
【００２１】
図２は、本発明で使用するのに好適なイカ釣機を示す図である。このイカ釣機は、釣糸１１と、その釣糸を矢印方向に巻き取るドラム１２と、釣糸１１をドラム１２に案内するガイドローラ１３と、ガイドローラ１３に取り付けられたネット１４と、ネット１４を上下動するカム１５と、一端がガイドローラの中心に固定されるとともに他端が船（図示せず）に固定されて支持支点となるフレーム１６とを有する。このようにネット１４が上下動するイカ釣機を用いることによって、釣られたイカの収集が効率よく行われるようになり、その結果、未成体イカの再放流が良好に行われるようになる。
【００２２】
次に、本発明で用いられる選別装置及び方法を説明する。
図３は、本発明で使用するのに好適な選別装置を示す図である。選別装置１０１は、図示しない給水口及び噴水孔を有する複数（この場合、２個）のロール１０２，１０３を具える。ロール１０２，１０３はそれぞれ、回転軸１０４，１０５を有し、軸受け１０６，１０７によって支持される。また、ロール１０２，１０３は、外径Ｄ、内径Ｄｉ及び長さＬｒを有する。
【００２３】
ロール１０２、１０３の上端及び下端の間隙がそれぞれＣrs，Ｃrlとなり、活イカを放出するＵ字型の供給シュート１０８は、長さＬｓ、幅Ｗｓ及び最大深さＤｓを有する。選別装置１０１は、供給シュート１０８から放出された活イカを収集する収集板１０９と、図示しないインバータ式モータとを更に具える。
【００２４】
ロール１０２，１０３は、図示しないインバータ式モータによって回転数が制御され、図示しないスイッチによって回転方向がＡ方向に制御される。また、ロール１０２，１０３の傾斜角度、高低差及び間隙Ｃrs，Ｃrlを無段階に調整することができる。
【００２５】
図４は、図３の選別装置における活イカの放物落下位置Ｐ及び垂直落下位置Ｑを示す図である。以後、放物落下位置Ｐと垂直落下位置Ｑとの間の距離をＰＱ値と称する。
【００２６】
図５は、ロールの断面及び噴水孔の配置の関係を示す図である。ロール１０２，１０３の噴水孔１１０は、ロールの円周方向及び長さ方向に所定の間隔で設けられ、ロール１０２，１０３の上端に設けられた給水口１１１から給水方向Ｂに沿ってロール１０２，１０３の中空内部に給水される。
【００２７】
図５において、ロール１０２，１０３はロール傾斜角θｒを有し、噴水孔１１０は、噴水孔径Ｄh1、及び噴水傾斜角度θhを有し、噴水孔１１０の中心間距離をＬhcとする。
【００２８】
本実施の形態の動作を、Ｄｉ＝６８ｍｍ，Ｄ＝７６ｍｍ，Ｌｒ＝８００ｍｍとし、ロール１０２，１０３の円周方向へ１６ｍｍ間隔に１５個及びロール１０２，１０３の長さ方向へ１５ｍｍ間隔に５２個の合計７８０個の噴水孔１１０を設けた場合について説明する。なお、噴水機能を有するために、４０°≦θh≦５０°とする。また、ロール１０２，１０３の中空内部への給水量を５７２〜６６７ｍｌ／分とする。
【００２９】
また、活イカとして、表１に示すスルメイカを使用する。
【表１】
2005198567.tif 000003
【００３０】
図６は、噴水孔径とロール面に形成される水膜の厚さとの間の関係を示す図である。図において、噴水孔径が１ｍｍ，２ｍｍ及び３ｍｍの場合におけるロール周速度が０．８ｍ／ｓ，１．６ｍ／ｓ，２．４ｍ／ｓ及び３．２ｍ／ｓであるときのロール面の長さ方向の水膜の厚さをプロットしている。なお、水膜の厚さは、ロール側面からのビデオ画像を解析することによって計測される。
【００３１】
噴水孔径が２ｍｍの場合には、ロール周速度が０．８ｍ／ｓ，１．６ｍ／ｓ，２．４ｍ／ｓ及び３．２ｍ／ｓであるときに水膜の厚さがロール面全体に亘ってほぼ均一になっていることがわかる。それに対して、噴水孔径が１ｍｍ及び３ｍｍの場合には、噴水孔の近傍における水膜の厚さは、それ以外の箇所の厚さに比べて大きくなり、水膜の厚さを均一にすることができない。
【００３２】
図７は、擬似魚体とロール間の水膜の厚さ、並びに擬似魚体の牽引聴力及び摩擦係数の関係を示す図である。図  において、ロール周速度が０．８ｍ／ｓ，１．６ｍ／ｓ及び２．４ｍ／ｓであるときについてそれぞれ、牽引時間（秒）と張力（Ｎ）及び摩擦係数の関係を無水、水膜の厚さ０．５ｍｍ及び１ｍｍについてプロットしている。また、擬似魚体は、パラフィンで防水加工した厚さ１．０ｃｍ、縦方向の長さ２．６ｃｍ、横方向の長さ１１．４ｃｍ及び重量１５．６ｇの木製板に体重１６４．３ｇの生鮮アジを積載したものであり、ロール上に直角に積載される。また、水膜の厚さ０．５ｍｍ及び１ｍｍは、給水量７５０ｍｌ／分及び１０４０ｍｌ／分に対応する。
【００３３】
ロール周速度が２．４ｍ／ｓの場合、擬似魚体とロール間の摩擦係数が約０．０３となり、擬似魚体の牽引張力は、約０．００４Ｎでほぼ最小となる。擬似魚体とロール間の水膜は、ロール周速度が２．４ｍ／ｓにおいて、最大で約０．４ｍｍとやや厚くなるが不均一であり、ロール周速度が１．６ｍ／ｓのときにほぼ０．３ｍｍで均一となる。ロール周速度が０．８ｍ／ｓになると、擬似魚体とロール間の水膜が約０．２ｍｍとなり、この場合、擬似魚体がロール面に直接接触するものと考えられる。なお、ロール周速度が２．４ｍ／ｓの場合、擬似魚体とロールとの間においてハイドロ・プレーニング現象が生じ、摩擦係数及び牽引張力が減少するものの、水膜が飛散するためにロール面上の水膜が不安定になり、牽引張力の変動が大きくなる。
【００３４】
図８は、ロール回転数とＰＱ値との関係を示す図である。以後、ＰＱ値は、噴水孔径２ｍｍ、噴水孔角度４５°及び給水量が６２０ｍｌ／分の条件の下で計測される。かかる条件によって、ロールの長さ方向における水膜の厚さがほぼ均一となるので、大小に基づく選別が好適に行われる。
【００３５】
図８において、ロール傾斜角度が４°，６°，８°の場合における活イカの頭部方向及び尾部方向からの供給についてのロール周速度及びＰＱ値の関係をプロットしている。ＰＱ値は、ロール周速度が１．６ｍ／ｓでＰＱ値が最小となり、供給方向によるＰＱ値の差異はほとんどない。
【００３６】
図９は、ロールの傾斜角度とＰＱ値との関係を示す図である。図９において、ロールの傾斜角度が６°でＰＱ値が最小となり、供給方向によるＰＱ値の差異はほとんどない。
【００３７】
図１０は、ロールの左右の高低差とＰＱ値との関係を示す図である。図１０において、高低差が０．７５ｍｍでＰＱ値が最小となり、活イカの外套膜の背部を下側にするとともに腹部を上側にして頭部から供給した場合に小さくなる。
【００３８】
図３〜５に基づく説明から、ロールの各々について、回転方向を同一にし、周速度を１．６ｍ／ｓ付近とし、傾斜角度を６°付近とし、噴水孔の各々について、ロールの軸線に対する傾斜角度を３０〜５０°付近とし、径を２ｍｍ付近とする。これによって、従来ほとんど不可能であると考えられてきたロール面の水膜の厚さの均一化を良好に制御できるようになり、その結果、活イカのように体表粘膜の引っ掻き、接触剥離、魚体損傷等が表面に損傷が生じやすい対象の大小を、イカの体表粘膜の引っ掻き、接触剥離、魚体損傷等がほとんど生じることなく選別することができることがわかる。
【００３９】
また、ロールとそれに隣接するロールとの間の高低差を０．７５ｃｍ付近とすることによって、選別の精度が更に向上することがわかる。
【００４０】
外套膜内に水が包含されているおそれがある活イカの場合には、水を包含した未成体イカが誤って成体イカであると判断されるおそれがあり、その結果、正確な大小の選別が困難になっている。
【００４１】
したがって、図３〜５に示す選別装置で成体イカか未成体イカであるかを選別するためには、活イカをロールに供給する前に、その外套膜内包含水をほとんど排出するのが好ましい。以後、本発明における活イカの外套膜内包含水の排出について説明する。
【００４２】
活イカの外套膜内包含水の排出を感電によって行う場合、直流電圧、交流電圧又はパルス電流を調整し、図示しない１ｃｍ間隔の電極を活イカの刺激部位に接触させ、所定の時間（例えば、約3秒間）通電する。
【００４３】
また、活イカとして、表２に示すスルメイカ及びヤリイカを使用する。
【表２】
2005198567.tif 000004
【００４４】
図１１は、直流電圧による感電排水頻度を示す図である。図１１において、約４．０Ｖの直流電圧で外套膜内包含水がほとんど排出されることがわかる。なお、本明細書中、排水頻度とは、排水回数を刺激回数で除したものに１００をかけたものとする。
【００４５】
図１２は、交流電圧による感電排水頻度を示す図である。図１２において、約２．０Ｖの交流電圧で外套膜内包含水がほとんど排出されることがわかる。
【００４６】
図１３は、パルス電流による感電排水頻度を示す図である。図１３において、約２．５ｍＡのパルス電流で外套膜内包含水がほとんど排出されることがわかる。
【００４７】
活イカの外套膜内包含水の排出を光照射によって行う場合、先ず、遮光した水槽内（照度０ｌｘ）に活イカを収容した容器を放置し、活イカを暗順応させるために所定の時間（例えば、約１５分）安定状態にする。容器内の活イカをテグスによって水面まで引き上げて、活イカと光源との間の垂直方向の距離を所定の値（例えば、約１５ｃｍ）に設定する。
【００４８】
光源として、キセノンランプを用いたストロボスコープ又は白熱電球を使用し、１秒ごとに所定の回数（例えば、２回）点灯して所定の時間（例えば、３秒間）照射し、光照射による活イカの外套膜内包含水の排出の有無及び程度をビデオカメラによって撮影する。
【００４９】
図１４は、パルス光及び白熱光の照度別の排水頻度を示す図である。図１４において、２０００ｌｘの照度で外套膜内包含水がほとんど排出されることがわかる。
【００５０】
本発明は、上記実施の形態に限定されるものではなく、幾多の変更及び変形が可能である。
例えば、イカ釣機並びに選別装置及び方法として、上記実施の形態において使用したもの以外のタイプのものを使用することができる。
【００５１】
また、釣獲イカ収集口４−１，４−２とコンベンヤ５−１，５−２との間に一時蓄養槽を配置し、搬送されるイカを一時的に蓄養することによって、所定時間に釣り上げられたイカの個数が所定時間に搬送可能なイカの個数を超えた場合でさえも搬送を円滑に行うことができ、その結果、未成体イカの再放流が良好に行われるようになる。
【００５２】
また、活イカの大小を選別するに際し、ロールの大きさ、本数及び回転方向を、選別対象の種類や大きさに従って任意の大きさに設定することができる。さらに、活イカの外套膜内包含水の排出をスルメイカ及びヤリイカの場合について説明したが、赤イカやホタルイカのような他の種類のイカにも適用することができ、感電又は光照明の他に感熱によって行うこともできる。なお、感熱によって排水を行う場合、例えば、温度調節した鉄製の丸棒の先端を活イカの刺激部位に所定の時間接触する。
【産業上の利用可能性】
【００５３】
本発明は、市販イカ釣機、収集ネットの振動と両舷側の桶状の収集シュート、一時貯留水槽、大小仕分け機とこれに搬入するコンベイヤ、放流シュート等を組み合わせた未成体イカの再放流システムを提供し、対象魚種は、単年魚のスルメイカ、ヤリイカ、アカイカ等である。
【図面の簡単な説明】
【００５４】
【図１】本発明による釣獲未成体イカの再放流システムの実施の形態を示す図である。
【図２】本発明で使用するのに好適なイカ釣機を示す図である。
【図３】本発明で使用するのに好適な選別装置を示す図である。
【図４】図３の選別装置における活イカの放物落下位置Ｐ及び垂直落下位置Ｑを示す図である。
【図５】ロールの断面及び噴水孔の配置の関係を示す図である。
【図６】噴水孔径とロール面に形成される水膜の厚さとの間の関係を示す図である。
【図７】擬似魚体とロール面との間の水膜の厚さ、並びに擬似魚体の牽引聴力及び摩擦係数の関係を示す図である。
【図８】ロール回転数とＰＱ値との関係を示す図である。
【図９】ロールの傾斜角度とＰＱ値との関係を示す図である。
【図１０】ロールの左右の高低差とＰＱ値との関係を示す図である。
【図１１】直流電圧による感電排水頻度を示す図である。
【図１２】交流電圧による感電排水頻度を示す図である。
【図１３】パルス電流による感電排水頻度を示す図である。
【図１４】パルス光及び白熱光の照度別の排水頻度を示す図である。
【符号の説明】
【００５５】
１  イカ釣漁船
２−１，２−２，２−３，２−４，２−５，２−６，２−７，２−８，２−９，２−１０  イカ釣機
３−１，３−２，３−３，３−４，３−５，３−６，３−７，３−８，３−９，３−１０  釣獲イカ収集用樋
４−１，４−２  釣獲イカ収集口
５−１，５−２  コンベンヤ
６，１０１  選別装置
７  成体イカ収納箱
８  未成体イカ放出路
１１  釣糸
１２  ドラム
１３  ガイドローラ
１４  ネット
１５  カム
１６  フレーム
１０２，１０３  ロール
１０４，１０５  回転軸
１０６，１０７  軸受け
１０８  供給シュート
１０９  収集板
１１０  噴水孔
１１１  給水口
Ｃrs，Ｃrl  間隙
Ｄ  外径
Ｄh1  噴水孔径
Ｄｉ  内径
Ｌhc  噴水孔１０の中心間距離
Ｌｒ  長さ
Ｐ  放物落下位置
Ｑ  垂直落下位置
Ｒｔ  厚さ
θh  噴水傾斜角度
θｒ  ロール傾斜角
【図１】
2005198567.tif 000005
【図２】
2005198567.tif 000006
【図３】
2005198567.tif 000007
【図４】
2005198567.tif 000008
【図５】
2005198567.tif 000009
【図６】
2005198567.tif 000010
【図７】
2005198567.tif 000011
【図８】
2005198567.tif 000012
【図９】
2005198567.tif 000013
【図１０】
2005198567.tif 000014
【図１１】
2005198567.tif 000015
【図１２】
2005198567.tif 000016
【図１３】
2005198567.tif 000017
【図１４】
2005198567.tif 000018